(57)【特許請求の範囲】
【請求項１】
フィルム基材上にタッチ面を構成する導電電極面領域を形成した導電電極付フィルムと形状形成材からなり、前記導電電極付フィルムを変形し前記形状形成材と一体化して、曲面形状のタッチ面を有するタッチパネルを製造するタッチパネルの製造方法において、
前記導電電極付フィルム変形時に、導電電極面領域は変形部における破断が一部で生じるとともに導電電極面領域は前記変形部を間に挟む２の点で電気導通を保持するように前記導電電極面領域に破断を制御するための不連続面を設けた導電電極付フィルムを使用することを特徴とするタッチパネルの製造方法。
【請求項２】
前記導電電極付フィルムがフィルム基材の上にアンカー剤を付け、前記アンカー剤の上に導電材料を積層した導電電極面領域を形成したものであり、
前記不連続面は、前記導電材料が不連続面となっているものであることを特徴とする請求項１に記載したタッチパネルの製造方法。
【請求項３】
前記導電電極付フィルムがフィルム基材の上にアンカー剤を付け、前記アンカー剤の上に導電材料を積層した導電電極面領域を形成したものであり、
前記不連続面は、前記アンカー剤が不連続面となっているものであることを特徴とする請求項１に記載したタッチパネルの製造方法。
【請求項４】
前記タッチパネルの立体形状は、球欠形状又は半球形状と、前記球欠形状又は半球形状の底面から外に広がるつばを有する立体形状であり、
前記導電電極付フィルム上の導電電極面領域は、導電電極面領域に外接する円内に形成されていて、
前記外接する円の半径をＲ、中心をＣとしたとき、前記導電電極面領域であって、その中心をＣ、内周が半径１/３Ｒの円であり外周が半径２/３Ｒの円である円環内に存在する部分に、面状の空孔により前記不連続面が設けられ、
前記導電電極面領域であって、その中心をＣ、内周が半径２/３Ｒの円であり外周が半径Ｒの円である円環内に存在する部分に、線により前記不連続面が形成され、かつ、前記不連続面を作る線は、点Ｃを中心とする円の円弧形状である請求項１乃至３いずれかに記載したタッチパネルの製造方法。
【請求項５】
前記タッチパネルの立体形状は、球欠形状又は半球形状と、前記球欠形状又は半球形状の底面から外に広がるつばを有する立体形状であり、
前記導電電極付フィルム上の導電電極面領域は、導電電極面領域に外接する円内に形成されていて、
前記外接する円の半径をＲ、中心をＣとしたとき、前記導電電極面領域であって、その中心をＣとし、内周が半径１/３Ｒの円内に存在する部分に在る、単位面積あたりの不連続面の面積をＮＣＡ-Ｓとし、
前記導電電極面領域であって、その中心をＣとし、内周が半径２/３Ｒの円であり外周が半径Ｒの円である円環内に存在する部分に在る、単位面積あたりの不連続面の面積をＮＣＡ-Ｌとしたとき、
式（１）が成立する請求項１乃至３いずれかに記載したタッチパネルの製造方法。
ＮＣＡ-Ｓ＜ＮＣＳ-Ｌ    式（１）
【請求項６】
形状形成材と一体にされて、曲面形状のタッチ面を有するタッチパネルを製造するために用いる導電電極付フィルムにおいて、
導電電極付フィルムはフィルム基材上にタッチ面を構成する導電電極面領域を形成したものであり、
フィルム変形時に、導電電極面領域は変形部のおける破断が一部で生じるとともに導電電極面領域は前記変形部を間に挟む２の点で電気導通を保持するように前記導電電極面領域に破断を制御するための不連続面を設けたことを特徴とする導電電極付フィルム。
【請求項７】
前記導電電極付フィルムはフィルム基材の上にアンカー剤層を形成し、前記アンカー剤層の上に導電材料層を積層したものであり、
前記不連続面は、前記導電材料層が不連続となってできているものであることを特徴とする請求項６に記載した導電電極付フィルム。
【請求項８】
前記導電電極付フィルムはフィルム基材の上にアンカー剤層を形成し、前記アンカー剤層の上に導電材料層を積層したものであり、
前記不連続面は、前記アンカー剤層が不連続となってできているものであることを特徴とする請求項６に記載した導電電極付フィルム。
【請求項９】
前記タッチパネルの形状は、球欠形状又は半球形状であり、前記球欠形状又は半球形状の底面から外に広がるつばを有する立体形状であり、
前記導電電極付フィルム上の導電電極面領域は、導電電極面領域に外接する円内に形成されていて、
前記外接する円の半径をＲ、中心をＣとしたとき、前記導電電極面領域であって、その中心をＣ、内周が半径１/３Ｒの円であり外周が半径２/３Ｒの円である円環内に存在する部分には、空孔により前記不連続面が設けられ、
前記導電電極面領域であって、その中心をＣ、内周が半径２/３Ｒの円であり外周が半径Ｒの円である円環内に存在する部分は、線により前記不連続面が形成され、かつ、前記不連続面を作る線は、点Ｃを中心とする円の円弧形状であることを特徴とする請求項６乃至８いずれかに記載した導電電極付フィルム。
【請求項１０】
前記タッチパネルの形状は、球欠形状又は半球形状であり、前記球欠形状又は半球形状の底面から外に広がるつばを有する立体形状であり、
前記導電電極付フィルム上の導電電極面領域は、導電電極面領域に外接する円内に形成されていて、
前記外接する円の半径をＲ、中心をＣとしたとき、前記導電電極面領域であって、その中心をＣとし、内周が半径１/３Ｒの円内に存在する部分に在る、単位面積あたりの不連続面の面積をＮＣＡ-Ｓとし、
前記導電電極面領域であって、その中心をＣとし、内周が半径２/３Ｒの円であり外周が半径Ｒの円である円環内に存在する部分に在る、単位面積あたりの不連続面の面積をＮＣＡ-Ｌとしたとき、
式（１）が成立する請求項６乃至８いずれかに記載した導電電極付フィルム。
ＮＣＡ-Ｓ＜ＮＣＳ-Ｌ    式（１）
【発明の詳細な説明】
【技術分野】
【０００１】
本発明は曲面を有するタッチパネルの製造方法に関し、より詳しくは導電電極付フィルムを変形し、形状形成材と一体化してタッチパネルを製造する方法に関する。また、本発明は導電電極付フィルムに関する。
【背景技術】
【０００２】
従来、曲面形状のタッチ面を有する静電容量方式のタッチパネルが知られている（例えば、特許文献１参照）。
【０００３】
このようなタッチパネルの製造方法として、フィルム基材の上にタッチ面を構成する導電電極面領域を形成した導電電極付フィルムと形状形成材を使用し、導電電極付フィルムを変形し形状形成材と一体化してこれを得る方法がある。導電電極付フィルムの変形、形状形成材との一体化の一例は、平板形状の形状形成材に導電電極付フィルムをラミネートし、その後真空圧空成形方法によって平板形状の一体物を曲面形状に成形するものである。
【０００４】
しかし、従来の導電電極付フィルムを使用して、曲面形状のタッチ面を有するタッチパネルを製造すると、曲面形状になる部分、すなわちフィルム基材が伸縮する部分で導電電極が破断する結果、単一電極面領域内で電極の導通が喪失し、タッチパネルの歩留まりが悪いという問題があった。
【先行技術文献】
【特許文献】
【０００５】
【特許文献１】特開２００７−２７９８１９号公報
【発明の概要】
【発明が解決しようとする課題】
【０００６】
タッチパネルの製造方法にかかる本発明が解決すべき課題は、平面形状の導電電極付フィルムを使って曲面形状を有するタッチパネルを製造する方法であって、単一導電電極面領域内での電極の導通を確保し、タッチパネルの機能を達成できる製品を得ることができる製造方法を提供することにある。
【０００７】
導電電極付フィルムにかかる本発明が解決すべき課題は、フィルムが変形して曲面形状になったときに、単一電極面領域内での電極の導通が確保される導電電極付フィルムを得ることにある。
【０００８】
本発明のその他の課題は、本発明の説明により明らかになる。
【課題を解決するための手段】
【０００９】
本発明の一の態様にかかるタッチパネルの製造方法は、
フィルム基材上にタッチ面を構成する導電電極面領域を形成した導電電極付フィルムと形状形成材からなり、前記導電電極付フィルムを変形し前記形状形成材と一体化して、曲面形状のタッチ面を有するタッチパネルを製造するタッチパネルの製造方法において、前記導電電極付フィルム変形時に、導電電極面領域は変形部における破断が一部で生じるとともに導電電極面領域は前記変形部を間に挟む２の点で電気導通を保持するように前記導電電極面領域に破断を制御するための不連続面を設けた導電電極付フィルムを使用することを特徴とする。
【００１０】
本発明の好ましい実施態様にかかるタッチパネルの製造方法にあっては、
前記導電電極付フィルムが、フィルム基材の上にアンカー剤を付け、前記アンカー剤の上に導電材料を積層した導電電極面領域を形成したものであり、前記不連続面は、前記導電材料が不連続面となっているものであってもよく、また、前記アンカー剤が不連続面となっているものであってもよい。
【００１１】
本発明の他の好ましい実施態様にかかるタッチパネルの製造方法にあっては、
前記タッチパネルの立体形状は、球欠形状又は半球形状と、前記球欠形状又は半球形状の底面から外に広がるつばを有する立体形状であり、
前記導電電極付フィルム上の導電電極面領域は、導電電極面領域に外接する円内に形成されていて、
前記外接する円の半径をＲ、中心をＣとしたとき、前記導電電極面領域であって、その中心をＣ、内周が半径１/３Ｒの円であり外周が半径２/３Ｒの円である円環内に存在する部分に、空孔により前記不連続面が設けられ、
前記導電電極面領域であって、その中心をＣ、内周が半径２/３Ｒの円であり外周が半径Ｒの円である円環内に存在する部分に、線により前記不連続面が形成され、かつ、前記不連続面を作る線は、点Ｃを中心とする円の円弧形状であってもよい。
【００１２】
本発明のその他の好ましい実施態様にかかるタッチパネルの製造方法にあっては、
前記タッチパネルの立体形状は、球欠形状又は半球形状と、前記球欠形状又は半球形状の底面から外に広がるつばを有する立体形状であり、
前記導電電極付フィルム上の導電電極面領域は、導電電極面領域に外接する円内に形成されていて、
前記外接する円の半径をＲ、中心をＣとしたとき、前記導電電極面領域であって、その中心をＣとし、内周が半径１/３Ｒの円内に存在する部分に在る、単位面積あたりの不連続面の面積をＮＣＡ-Ｓとし、
前記導電電極面領域であって、その中心をＣとし、内周が半径２/３Ｒの円であり外周が半径Ｒの円である円環内に存在する部分に在る、単位面積あたりの不連続面の面積をＮＣＡ-Ｌとしたとき、
式（１）が成立するものであってもよい。
ＮＣＡ-Ｓ＜ＮＣＳ-Ｌ    式（１）
【００１３】
本発明の他の態様にかかる導電電極付フィルムは、
形状形成材と一体にされて、曲面形状のタッチ面を有するタッチパネルを製造するために用いる導電電極付フィルムにおいて、
導電電極付フィルムはフィルム基材上にタッチ面を構成する導電電極面領域を形成したものであり、
フィルム変形時に、導電電極面領域は変形部における破断が一部で生じるとともに導電電極面領域は前記変形部を間に挟む２の点で電気導通を保持するように前記導電電極面領域に破断を制御するための不連続面を設けたものである。
【００１４】
本発明の好ましい実施態様にかかる導電電極付フィルムは、
前記導電電極付フィルムが、フィルム基材の上にアンカー剤層を形成し、前記アンカー剤層の上に導電材料層を積層したものであり、
前記不連続面は、前記導電材料層が不連続となってできているものであってもよく、また、前記アンカー剤層が不連続となってできているものであってもよい。
【００１５】
本発明の他の好ましい実施態様にかかる導電電極付フィルムは、
前記タッチパネルの形状は、球欠形状又は半球形状であり、前記球欠形状又は半球形状の底面から外に広がるつばを有する立体形状であり、
前記導電電極付フィルム上の導電電極面領域は、導電電極面領域に外接する円内に形成されていて、
前記外接する円の半径をＲ、中心をＣとしたとき、前記導電電極面領域であって、その中心をＣ、内周が半径１/３Ｒの円であり外周が半径２/３Ｒの円である円環内に存在する部分には、空孔により前記不連続面が設けられ、
前記導電電極面領域であって、その中心をＣ、内周が半径２/３Ｒの円であり外周が半径Ｒの円である円環内に存在する部分は、線により前記不連続面が形成され、かつ、前記不連続面を作る線は、点Ｃを中心とする円の円弧形状であってもよい。
【００１６】
本発明のその他の好ましい実施態様にかかる導電電極付フィルムにあっては、
前記タッチパネルの形状は、球欠形状又は半球形状であり、前記球欠形状又は半球形状の底面から外に広がるつばを有する立体形状であり、
前記導電電極付フィルム上の導電電極面領域は、導電電極面領域に外接する円内に形成されていて、
前記外接する円の半径をＲ、中心をＣとしたとき、前記導電電極面領域であって、その中心をＣとし、内周が半径１/３Ｒの円内に存在する部分に在る、単位面積あたりの不連続面の面積をＮＣＡ-Ｓとし、
前記導電電極面領域であって、その中心をＣとし、内周が半径２/３Ｒの円であり外周が半径Ｒの円である円環内に存在する部分に在る、単位面積あたりの不連続面の面積をＮＣＡ-Ｌとしたとき、式（１）が成立するものであってもよい。
ＮＣＡ-Ｓ＜ＮＣＳ-Ｌ    式（１）
【００１７】
以上説明した本発明、本発明の好ましい実施態様、これらに含まれる構成要素は可能な限り組み合わせて実施することができる。
【発明の効果】
【００１８】
本発明にかかるタッチパネルの製造方法は、導電電極付フィルムに破断を制御する不連続面を設けたので、曲面形状に成形したとき電極の導通を確保することができる効果が得られる。よって、従来よりも深い、あるいは複雑な曲面形状のタッチパネルを製造できるという利点がある。
【００１９】
本発明にかかる導電電極付フィルムは破断を制御する不連続面を設けたので、曲面形状に成形したとき電極の導通を確保することができる効果が得られる。よって、従来よりも深い、あるいは複雑な曲面形状のタッチパネルの製造に適するものである。
【図面の簡単な説明】
【００２０】
【図１】図１は本発明にかかるタッチパネルの製造方法により製造されるタッチパネルの説明図である。
【図２】図２は第一の導電電極付フィルムの説明図である。
【図３】図３は第二の導電電極付フィルムの平面説明図である。
【図４】図４は第三の導電電極付フィルムの説明図である。
【図５】図５は第四の導電電極付フィルムの平面説明図である。
【図６】図６は第五の導電電極付フィルムの平面説明図である。
【発明を実施するための形態】
【００２１】
以下、図面を参照して本発明の実施例にかかるタッチパネルの製造方法と導電電極付フィルムをさらに説明する。本明細書において参照する各図は、本発明の理解を容易にするため、一部の構成要素を誇張して表すなど模式的に表しているものがある。このため、構成要素間の寸法や比率などは実物と異なっている場合がある。
【００２２】
また、符号である数字は部品などを集合的に示す場合があり、以下に説明する実施例において個別の部品などを示す場合に、当該数字のあとにアルファベットの添字を付けているものがある。さらに、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２３】
図１は、本発明にかかるタッチパネルの製造方法により製造されるタッチパネルの説明図である。図１はタッチパネル１の斜視図である。タッチパネル１の立体形状は、球欠形状部４１と、つば４２を有するものである。つば４２は球欠形状部４１の底面４３から底面の外側に広がっている。底面４３から最も離れた位置は頂点４４である。
【００２４】
球欠形状部４１は半球形状であってもよい。本発明と本明細書にあって球欠とは、球を１の平面で切り取ってできる球の部分を意味する。タッチパネル１にあって球欠形状部４１は、球を１つの平面で切り取ってできる２つの球欠の内小さい方の球欠が作る球欠形状が好ましい。平面状の導電電極付フィルムと平面状の形状形成材から製造する場合に極端な深しぼりを強いられないからである。球欠形状部４１は半球形状部であってもよい。
【００２５】
つば４２はタッチパネル１を筐体に取付ける固定位置となり、またタッチ面からの電線引き出し部形成位置となる。つば４２は平面であることが好ましく、底面４３の延長面であることが一層好ましい。
【００２６】
もっともタッチパネル１における上述した立体形状は一の実施態様である。本発明にかかるタッチパネルの製造方法により製造されるタッチパネルの形状はこれに制限されない。例えば、タッチパネルは回転楕円体の一部、円錐台、平行六面体、六面体、かまぼこ形、半円柱、波型、凸凹形などである。
【００２７】
タッチパネル１はタッチ面２を有する。タッチ面２は導電電極付フィルム上に形成された導電電極面領域１３に由来する。導電電極付フィルムはフィルム基材上に導電電極面領域を形成したものである。
【００２８】
タッチパネル１は、導電電極付フィルムと例えばアクリル樹脂製の平板である形状形成材からなり、導電電極付フィルムを形状形成材にラミネートし、真空圧空成形して曲面形状としたものである。
【００２９】
タッチパネル１は概略全体が曲面であるから、真空圧空成形時に導電電極面領域の全域が引き伸ばされるが、変形部３ａと変形部３ｂが特に引き伸ばされる割合の大きい部分である。変形部３ａはつば４２に隣接する部分である。変形部３ｂは底面４３から頂点４４までの高さをｈとしたとき、底面４３からの高さが１／２ｈとなる球面部分の周囲部分である。
【００３０】
導電電極面領域１３にあって、変形部３ａに不連続面２０ａが設けられている。不連続面２０ａは換言すれば割れぐせであり、導電電極面の破断方向を定めるものであり、また導電電極面の破断距離を一定範囲に制限するものである。
【００３１】
変形部脇点５０ａと変形部脇点５０ｂは、変形部３ａを間に挟んで位置する２点である。変形部脇点５０ａと変形部脇点５０ｂは両者共に単一の導電電極面領域上の点である。
【００３２】
不連続面２０ａが制御された状況下に破断される結果、成形工程を経てタッチパネル１が製造されると、変形部脇点５０ａと変形部脇点５０ｂ間の電気導通は保持される。
【００３３】
同様に導電電極面領域１３にあって、変形部３ｂに不連続面２０ｂが設けられている。不連続面２０ｂは、上述した不連続面２０ａと同一の役割りを担う割れぐせである。
【００３４】
変形部脇点５０ｃと変形部脇点５０ｄは変形部３ｂを間に挟んで位置する２点である。変形部脇点５０ｃと変形部脇点５０ｄは両者共に単一の導電電極面領域上の点である。
【００３５】
不連続面２０ｂが制御された状況下に破断される結果、成形工程を経てタッチパネル１が製造されると、変形部脇点５０ｃと変形部脇点５０ｄ間の電気導通は保持される。
【００３６】
タッチパネル１の寸法の一例は、球欠形状部４１が半径１３０ｍｍの半球であり、つば４２の幅が２５ｍｍである。
【００３７】
図２は第一の導電電極付フィルムの説明図であり、図２（ａ）は平面図、図２（ｂ）はＰ−Ｐ´矢印部分での断面図である。
【００３８】
第一の導電電極付フィルム１１ａはフィルム基材１２の上にアンカー剤１５を付け、アンカー剤１５の上に導電材料１４を積層することによって、導電材料１４からなる導電電極面領域１３を形成したものである。第一の導電電極付フィルム１１ａからタッチパネルを製造したとき、導電電極面領域１３は主としてタッチ面になる部分である。
【００３９】
導電材料１４はパターニングされていて、３個の導電電極面領域１３が形成されていると共に、各々の導電電極面領域１３中には正六角形形状の空孔２０２が形成されている。空孔２０２は導電材料１４の薄層面が不連続面となっているものである。空孔２０２を設けた部分が、導電電曲面領域の破断を制御するための不連続面である。
【００４０】
図２に図示した第一の導電電極付フィルム１１ａでは、空孔２０２部分の下面側は全面にアンカー剤１５の薄層面が形成されている。空孔２０２部分の下面はアンカー剤１５が欠損していてもよく、部分的に欠損していてもよい。
【００４１】
フィルム基材は、アクリル、ポリカーボネート、ポリエステル、ポリブチレンテレフタレート、ポリプロピレン、ポリアミド、ポリウレタン、ポリ塩化ビニル、ポリフッ化ビニル、ポリイミドなどの樹脂フィルムが挙げられる。
【００４２】
基材の厚みは２５μｍ〜３００μｍの範囲で適宜設定可能である。より好ましくは、１００μｍ〜２００μｍである。厚さが２５μｍ未満では基材としての強度が不足して曲面状に加工する際に破れたりするので取り扱いが困難となり、厚さが３００μｍを超える場合は剛性が大きすぎて加工が困難となる。
【００４３】
曲面状に加工する場合の加工容易性からフィルム基材はポリカーボネート樹脂等の熱可塑性樹脂からなることが好ましい。
【００４４】
導電材料としては、カーボンナノチューブ（ＣＮＴ）、銀ナノワイヤー等の金属ナノワイヤー、ポリエチレンジオキシチオフェン（ＰＥＤＯＴ）の微粒子、スズドープ酸化インジウム（ＩＴＯ）や、スズ、アルミニウム、鉄、銅、金、銀、ニッケルなどからなる金属薄膜が挙げられる。
【００４５】
アンカー剤は、フィルム基材の種類に適した感熱性又は感圧性のある樹脂が使用される。具体的には、ＰＭＭＡ系樹脂、ＰＣ、ポリスチレン、ＰＡ系樹脂、ポバール系樹脂、シリコン系樹脂などの樹脂が使用される。なお、アンカー剤は、グラビアコート法、ロールコート法、コンマコート法、グラビア印刷法、スクリーン印刷法、オフセット印刷法等によりフィルム基材の上に形成される。
【００４６】
図３は第二の導電電極付フィルム１１ｂの平面図である。第二の導電電極付フィルム１１ｂは、第一の導電電極付フィルム１１ａと同様に、フィルム基材の上にアンカー剤を付け、アンカー剤の上に導電材料を積層して、導電電極面領域１３を形成したものである。第二の導電電極付フィルム１１ｂにあって、導電電曲面領域１３中にはスリット２０１が形成されている。スリット２０１は導電材料の薄層面が不連続となっているものである。スリット２０１を設けた部分が導電電極面領域の破断を制御するための不連続面である。第二の導電電極付フィルム１１ｂは、その他の点について第一の導電電極付フィルム１１ａと同一である。
【００４７】
導電材料における不連続面の形成（パターン形成）方法として、以下の（１）（２）を例示することができる。
（１）導電材料をパターン印刷する。パターン印刷する方法としては、例えばＰＥＤＯＴ微粒子を混合したインキを用い、スクリーン印刷、グラビア印刷、凸版印刷、インクジェット印刷、サーマルプリント、熱転写する方法が挙げられる。
（２）導電材料をベタ塗りして、空孔あるいはスリット部分をエッチングで取り除く。エッチングは、レーザービームを照射してもよく、レジストを使ってもよい。本方法では電極材料として、金属ナノワイヤー、ＣＮＴ、ＰＥＤＯＴ、ＩＴＯなどを用いて実施できる。
【００４８】
図４は第三の導電電極付フィルムの説明図であり、図４（ａ）は平面図、図４（ｂ）はＱ−Ｑ´矢印部分での断面図である。第三の導電電極付フィルム１１ｃはフィルム１２の上にアンカー剤１５を付け、アンカー剤１５の上に導電材料１４を積層することによって、導電材料１４からなる導電電極面領域１３を形成したものである。
【００４９】
アンカー剤１５はパターニングされていて、３個の導電電極面領域１３が形成されていると共に、各々の導電電極面領域１３中にはスリット２０３が形成されている。スリット２０３はアンカー剤１５の薄層面が不連続となっているものである。スリット２０３を設けた部分が導電電極面領域の破断を制御するための不連続面である。
【００５０】
図４に図示した第三の導電電極付フィルム１１ｃでは、スリット２０３部分ではアンカー剤が欠損している。「アンカー剤が不連続面」とはアンカー剤に由来する不連続面と言い換えてもよい。本発明において、「アンカー剤が不連続面」とは、アンカー剤の欠損部分がある面でもよく、アンカー剤の層厚さが薄くなった部分がある面でもよく、アンカー剤層の表面が異なる部分がある面でもよい。アンカー剤の層に段差を付けることにより、アンカー剤の層厚さが薄い部分を作成すると当該薄い部分は弱接着層となる。またアンカー剤層の表面に接着阻害剤を部分的に形成すると弱接着面あるいは非接着面となる。
【００５１】
アンカー剤１５に設ける不連続面はスリットに限られず、空孔であってもよい。アンカー剤１５の層に空孔を形成すれば、当該空孔部分は導電材料が全欠落、部分欠落する場合があり、また全面に導電材料が存在する場合もある。本発明にあっては、アンカー剤１５の不連続面上に導電材料は存在していてもよく、存在していなくてもよい。
【００５２】
アンカー剤１５のパターニングは、例えば（１）全面にベタ塗りしてエッチングで一部を取り除く方法、（２）スクリーン印刷やグラビア印刷などの印刷で、アンカー剤１５を印刷する方法で行えばよい。
【００５３】
強アンカー剤部分と弱アンカー剤部分を交互に作成するには、（１）強アンカー剤をベタ塗りした後に、強アンカー剤面上に接着阻害剤を部分的に形成する方法、（２）強アンカー剤をベタ塗りした後に、不完全なエッチングを行って強アンカー剤の層を薄層化して、強アンカー剤の層を厚膜と薄膜にパターニングする方法を行えばよい。
【００５４】
直前に述べた（２）厚膜と薄膜にパターニングする方法は、タッチ部分が周囲と一体化して目立たない、一種類のアンカー剤を材料にして作成することができるので安価に作成できる等の効果を有するので好ましい方法である。
【００５５】
導電材料の不連続面とアンカー剤の不連続面の形状等について両者の共通事項を述べる。スリットと空孔を比較すると、導電電極付フィルム変形時に、一方向の伸びが優勢な導電電極面領域には、スリットを採用することが好ましい。スリットは伸びる方向に直交して配置する。導電電極付フィルム変形時に、２次元方向に伸びる（Ｘ軸方向にも伸び、Ｙ軸方向にも伸びる。ここでＸ軸とＹ軸は直交する軸である）導電電極面領域には空孔を採用することが望ましい。空孔の形状は、円、正方形、長方形、正六角形、正八角形等を例示することができる。
【００５６】
スリットと空孔は導電電極面領域の輪郭線と重なっていることが好ましい。輪郭線での破断が破断方向を先導するからである。
【００５７】
形状形成材は、アクリル樹脂、ポリカーボネート等である。
【００５８】
導電電極付フィルムを変形し形状形成材と一体化して曲面形状のタッチパネルを製造する製造方法は以下の（１）〜（３）の方法を例示することができる。
（１）導電電極付フィルムと平板形状の形状形成材をラミネートする。その後、例えば真空圧空成形等の成形法で曲面形状のタッチパネルとする。
（２）導電電極付フィルムを曲面形状に成形する。一方、平面形状の形状形成材を曲面形状に成形する。両者を貼り合せて曲面形状のタッチパネルとする。
（３）導電電極付フィルムを金型内にセットして、射出成形を行い、曲面形状のタッチパネルとする。導電電極付フィルムは金型内にセットする前に予備成形をしてもよく、また、予備成形無しで金型内にセットしてもよい。
【００５９】
図５は第四の導電電極付フィルム１１ｄの平面説明図である。第四の導電電極付フィルム１１ｄは、図１を参照しつつ説明した球欠形状部４１につば４２が付いた立体形状のタッチパネルを製造するために、形状形成材と共に使用するものである。
【００６０】
第四の導電電極付フィルム１１ｄは、フィルム基材１２の上に形成した１２個の導電電極面領域１３ｄを有する。１２個の導電電極面領域１３ｄのうち１０個を図示し、残余の２個は図示を省略している。
【００６１】
１２個の導電電極面領域１３ｄは、１の外接する円１６ａ内に存在している。換言すれば、円１６ａは１２個の導電電極面領域１３ｄを全て含む複数の円を考えた場合にもっとも小さい円である。外接する円１６ａの中心Ｃを符号１７ａで示し、半径Ｒの長さを矢印６０ａで示している。
【００６２】
導電電極面領域１３ｄには導電材料に形成したスリット２０５と導電材料に形成した空孔２０６が存在する。スリット２０５は不連続面を形成している。空孔２０６は不連続面を形成している。
【００６３】
外接する円１６ａ内にある小円環１８ａと大円環１９ａを考える。小円環１８ａの内周は半径１／３Ｒ（矢印６１ａで示す）、中心をＣ（符号１７ａ）とする円１６１ａである。小円環１８ａの外周は半径２／３Ｒ（矢印６２ａで示す）、中心をＣ（符号１７ａ）とする円１６２ａである。
【００６４】
大円環１９ａの内周は、半径２／３Ｒ（矢印６２ａで示す）、中心をＣ（符号１７ａ）とする円１６２ａである。大円環１９ａの外周は半径Ｒ（矢印６０ａで示す）、中心をＣ（符号１７ａ）とする円１６ａである。
【００６５】
導電電極面領域１３ｄにあって、小円環１８ａ内にある部分はタッチパネル１にする際にＸ軸、Ｙ軸の両方向に伸びる領域を含んでいる。このため当該部分の不連続面は空孔形成により形成している。
【００６６】
また導電電極面領域１３ｄにあって、大円環１９ａ内にある部分は、タッチパネル１にする際に一方向である半径方向に伸びる領域を含んでいる。半径方向に伸びる領域はつばの取付け部付近である。このため当該部分の不連続面はスリットにより形成している。スリットは線と表現することもできる。かつスリットは点Ｃ（符号１７ａで示す）を中心とする円の円弧形状である。当該円弧形状とすることにより伸びる方向と直交する線となる。
【００６７】
以上説明した第四の導電電極付フィルム１１ｄにあっては、不連続面は導電材料に形成した。不連続面をアンカー剤に形成する変形の実施をしてもよい。すなわち、導電電極面領域１３ｄにあって小円環１８ａにある部分に、アンカー剤に空孔を形成して不連続面を形成してもよい。また導電電極面領域１３ｄにあって大円環１９ａにある部分にアンカー剤に線を形成することにより不連続面を形成してもよい。
【００６８】
図５においては、円１６ａ、円１６１ａ、円１６２ａは、その一部分のみを破線で図示している。
【００６９】
図６は第五の導電電極付フィルム１１ｅの平面説明図である。第五の導電電極付フィルム１１ｅは、図１を参照しつつ説明した球欠形状部４１につば４２が付いた立体形状のタッチパネルを製造するために、形状形成材と共に使用するものである。
【００７０】
第五の導電電極付フィルム１１ｅは、フィルム基材１２の上に形成した１２個の導電電極面領域１３ｅを有する。１２個の導電電極面領域１３ｅのうち１０個を図示し、残余の２個は図示を省略している。
【００７１】
１２個の導電電極面領域１３ｅは、１の外接する円１６ｂ内に存在している。換言すれば、円１６ｂは１２個の導電電極面領域１３ｅを全て含む複数の円を考えた場合にもっとも小さい円である。外接する円１６ｂの中心Ｃを符号１７ｂで示し、半径Ｒの長さを矢印６０ｂで示している。
【００７２】
導電電極面領域１３ｅには導電材料に形成した空孔２０７と導電材料に形成した空孔２０８が存在する。空孔２０７は不連続面を形成している。空孔２０８もまた不連続面を形成している。
【００７３】
外接する円１６ｂ内にある小円１６１ｂと大円環１９ｂを考える。小円１６１ｂは半径１／３Ｒ（矢印６１ｂで示す）、中心をＣ（符号１７ｂ）とする円である。大円環１９ｂの内周は、半径２／３Ｒ（矢印６２ｂで示す）、中心をＣ（符号１７ｂ）とする円１６２ｂである。大円環１９ｂの外周は半径Ｒ（矢印６０ｂで示す）、中心をＣ（符号１７ｂ）とする円１６ｂである。
【００７４】
導電電極面領域１３ｅにあって、タッチパネル１にする際に小円１６１ｂ内にある部分と大円環１９ｂ内にある部分の伸びを比較すると、小円１６１ｂ内にある部分の伸びは小さく大円環１９ｂ内にある部分の伸びは大きい。
【００７５】
導電電極面領域１３ｅであって小円１６１ｂ内にある単位面積当りの不連続面（空孔２０７）の面積をＮＣＡ−Ｓとする。導電電極面領域１３ｅであって大円環１９ｂ内にある単位面積当りの不連続面（空孔２０８）の面積をＮＣＡ−Ｌとする。ＮＣＡ-ＳとＮＣＳ-Ｌの間には、式（１）の関係が成立する。
ＮＣＡ-Ｓ＜ＮＣＳ-Ｌ    式（１）
【００７６】
以上説明した第五の導電電極付フィルム１１ｅにあっては、不連続面は導電材料に形成した。不連続面をアンカー剤に形成する変形の実施をしてもよい。すなわち、導電電極面領域１３ｅにあって小円１６１ｂにある部分に、アンカー剤に空孔を形成して不連続面を形成してもよい。また導電電極面領域１３ｅにあって大円環１９ｂにある部分にアンカー剤に空孔を形成することにより不連続面を形成してもよい。
【００７７】
さらにまた、導電材料またはアンカー剤に形成する空孔はスリットであってもよい。
【００７８】
図５においては、円１６ｂ、円１６１ｂ、円１６２ｂは、その一部分のみを破線で図示している。
【産業上の利用可能性】
【００７９】
本発明により得られるタッチパネルは、例えば、発振回路、判定回路と組み合わせて静電容量方式のタッチパネルに使用できる。
【符号の説明】
【００８０】
１    タッチパネル
２    タッチ面
３    変形部
１１  導電電極付フィルム
１２  フィルム基材
１３  導電電極面領域
１４  導電材料
１５  アンカー剤
１６  外接する円
１７  中心
１８  小円環
１９  大円環
２０  不連続面
４１  球欠形状部
４２  つば
４３  底面
５０  変形部脇点
２０１  （導電材料に形成した）スリット
２０２  （導電材料に形成した）空孔
２０３  （アンカー剤に形成した）スリット
【図１】
0005656922.tif 000002
【図２】
0005656922.tif 000003
【図３】
0005656922.tif 000004
【図４】
0005656922.tif 000005
【図５】
0005656922.tif 000006
【図６】
0005656922.tif 000007